(57)【要約】本発明はダイバーシティ受信器と通信するアンテナの間での切替えのための方法および装置に関する。送信器からのパケットは、ダイバーシティ受信器と通信する個々のアンテナによって受信される。第１のアンテナにおいて受信されたパケットのプリアンブルの信号強度はサンプリングされる（１０４）。信号強度が信頼できる受信に影響を与えるほど十分な大きさである場合（１０６）、関連するアンテナは、パケット送信の間に、選択される（１０８）。信号強度が所定の信号強度を下回る場合（１０６）、第２のアンテナにおいて受信されたパケットのプリアンブルの信号強度はサンプリングされ（１１０、１１２）、第１のアンテナに関連したサンプルと比較される（１１４）。第２のサンプルの大きさがより大きい場合、第２のアンテナに関連した信号が選択される（１１６）。信号強度を決定するために、プリアンブルの所定の期間の間、信号強度の相加平均が使用される。
2007505515.tif 000002
【特許請求の範囲】
【請求項１】
無線通信システムにおいて、パケットベース毎での、少なくとも二つのアンテナから一つのアンテナを選択する方法であって、該方法は、
（ａ）ダイバーシティ受信器と通信する該少なくとも二つのアンテナのそれぞれにて、無線通信リンクを介して送信されたデータパケットを受信することであって、該データバケットは、少なくともプリアンブルを備え、該プリアンブルは、それに関連した信号強度を有する、ことと、
（ｂ）第１のアンテナに関連した、該データパケットプリアンブル信号強度を決定することと、
（ｃ）該決定された信号強度が所定の閾値を超過する場合、該第１のアンテナを選択することと
を包含する、方法。
【請求項２】
（ａ）前記第１のアンテナに関連した前記データパケットプリアンブル信号強度が前記所定の閾値を超過しない場合、第２のアンテナに関連した該データパケットプリアンブル信号強度を決定するステップと、
（ｂ）該第２のアンテナに関連した該データパケットプリアンブル信号強度と、該第１のアンテナに関連した該データパケットプリアンブル信号強度とを比較するステップと、
（ｃ）該第２のアンテナに関連した該データパケットプリアンブル信号強度が、該第１のアンテナに関連した該データパケットプリアンブル信号強度よりも大きい場合、該第２のアンテナを選択するステップと
をさらに包含する、請求項１に記載の方法。
【請求項３】
前記決定するステップが、前記データパケットプリアンブルの、ユーザが定義した期間の間、前記信号強度の相加平均を計算することを包含する、請求項２に記載の方法。
【請求項４】
前記ユーザが定義した期間が、前記計算された相加平均信号強度が時間に依存しないように、選択される、請求項３に記載の方法。
【請求項５】
前記決定するステップが、前記ダイバーシティ受信器に関連した低レイテンシフィルタによる処理の後に生じる、請求項４に記載の方法。
【請求項６】
前記決定するステップが、高レイテンシフィルタによる処理の前に生じ、該高レイテンシフィルタが、前記受信されたデータパケットの残り部分を処理するために使用される、請求項５に記載の方法。
【請求項７】
前記受信されたデータパケットに関連したミッドアンブルの信号強度計測に基づいて、前記少なくとも二つのアンテナのうちの一つを選択するステップをさらに包含する、請求項６に記載の方法。
【請求項８】
デジタル直流コンポーネントおよびゲインコンポーネントが、前記決定するステップの間、静的なままであり、請求項１に記載の方法。
【請求項９】
パケットベース毎での、少なくとも二つのアンテナのうちの一つを選択する、無線ネットワークにおけるダイバーシティ受信器であって、該ダイバーシティ受信器は、
（ａ）少なくとも二つのアンテナと、
（ｂ）該少なくとも二つのアンテナと通信するダイバーシティ選択回路と
を備え、
該ダイバーシティ選択回路が、無線通信リンクを介して受信されたパケットのプリアンブルに関連した測定基準に基づいて、該少なくとも二つのアンテナのうちの一つを選択する、ダイバーシティ受信器。
【請求項１０】
前記測定基準が、前記受信されたパケットプリアンブルに関連した信号強度である、請求項９に記載のダイバーシティ受信器。
【請求項１１】
前記ダイバーシティ選択回路が、
（ａ）前記受信パケットのプリアンブルの時間の定義された期間の間、平均信号強度を計算する電力平均コンポーネントと、
（ｂ）該平均をｄＢ値へ変換するためのＲＳＳＩ検出コンポーネントと、
（ｃ）該平均信号強度が、ユーザが定義した信号強度閾値を超過するかどうかを決定し、該決定の結果に基づいて、前記少なくとも二つのアンテナのうちの一つを選択するダイバーシティ選択コンポーネントと
をさらに備える、請求項１０に記載のダイバーシティ受信器。
【請求項１２】
前記ダイバーシティ選択回路が、低レイテンシフィルタをさらに備え、前記プリアンブルが、該低レイテンシフィルタによる処理の後に、試験される、請求項１１に記載のダイバーシティ受信器。
【請求項１３】
前記プリアンブルが高レイテンシフィルタによる処理の前のイグザミナーであり、該高レイテンシフィルタが前記受信されたデータパケットの残り部分を処理するために使用される、請求項１２に記載のダイバーシティ受信器。
【請求項１４】
前記ダイバーシティ選択回路が、前記受信されたパケットのミッドアンブルに関連した測定基準に基づいて、前記少なくとも二つのアンテナのうちの一つを選択する、請求項１３に記載のダイバーシティ受信器。
【請求項１５】
前記ダイバーシティ選択回路が、デジタル直流補償コンポーネントおよびゲインコンポーネントをさらに備え、該コンポーネントが、ダイバーシティ選択コンポーネントの動作の間、静的のままである、請求項１３に記載のダイバーシティ受信器。
【請求項１６】
パケットベース毎での、少なくとも二つのアンテナのうちの一つを選択する、無線ネットワークにおけるダイバーシティ受信器であって、該ダイバーシティ受信器は、
（ａ）無線送信を受信する手段と、
（ｂ）該無線送信を介して受信されたパケットのプリアンブルに関連した測定基準に基づいて、該少なくとも二つのアンテナのうち一つを選択する手段と、
を備える、ダイバーシティ受信器。
【請求項１７】
無線通信システムにおいて、パケットベース毎での、少なくとも二つのアンテナから一つのアンテナを選択する方法であって、該方法は、
（ａ）ダイバーシティ受信器と通信する該少なくとも二つのアンテナのそれぞれにて、無線通信リンクを介して送信されたデータパケットを受信するステップであって、該データバケットは、少なくともプリアンブルを備え、該プリアンブルは、それに関連した信号強度を有する、ステップと、
（ｂ）第１のアンテナに関連した該データパケットプリアンブル信号強度を決定するステップと、
（ｃ）該決定された信号強度が所定の閾値を超過する場合、該第１のアンテナを選択するステップと
を包含する、方法。
【発明の詳細な説明】
【技術分野】
【０００１】
本発明は、無線通信分野に関し、より詳細には、ダイバーシティ受信器を用いてアンテナ通信間の切替えをする方法およびその装置に関し、各ダイバーシティ受信器は単一の信号源から伝送された信号を受信する。
【背景技術】
【０００２】
当業者によって理解されるように、無線通信システムにおいて、当事者間の連続的な通信を提供するのに十分な信号強度を維持することは重要である。無線通信システムにおける一般的な問題は、同一または隣接した周波数帯域上の、近傍での伝送によって生じる干渉である。干渉によって受信器は、伝送された信号を誤解するか、妨害されるか、受信した信号を相互に関連付けるのに失敗するか、または、受信器の伝送された信号を適切に受信する性能に対してその他の不都合な影響を有する可能性がある。さらに、無線通信システムにおいて、受信器は、マルチパスやフェーディングという問題も被る可能性がある。マルチパスやフェーディングは、比較的短時間内で、受信される信号に対し振幅、位相、またはその他の特性の変動を生じる可能性がある。
【０００３】
マルチパスの位相の無効化によって生じる「ドロップアウト」または「ヌル」を避けることは、無線産業において大きな注目の中心であった。ドロップアウトは、送信器のアンテナと送信器のアンテナとが互いに個別の位置にある場合に生じる。図１に示すように、発信器１０からの信号は、直接経路と反射経路とを介して受信器１２のアンテナＡへ到達する。反射された信号の経路は直接経路よりもわずかに長く、２つの信号は受信器アンテナＡで互いに混合すると位相の外へ出される。その結果となる微弱な信号が「ドロップアウト」を発生させる。送信器１０または受信器１２を異なる位置へ移動することによって、ドロップアウトを低減または除去し得る。しかしながら、これらのデバイスを再配置することが非実用的または不可能である場合もある。
【０００４】
アンテナダイバーシティの基本概念は図２に示されている。図に示すように、２つのアンテナＡおよびＢが用いられている。発信器１０からアンテナＡに到達した信号は、大部分がマルチパスヌルによって無効化され、ダイバーシティ受信器１４に残るわずかな信号を放つ。しかしながら、アンテナＢでの信号は強いままであり、雑音の割合に対し利用可能な音声信号を生成するために適切な信号を受信器１２に与える。一般的に、ダイバーシティ受信の利益を最大限に得るべく、ダイバーシティ受信のアンテナＡおよびアンテナＢが相互に関連づけられていない（すなわち「相違のある」）信号を受信することを保証するために、アンテナＡおよびアンテナＢの間隔は、少なくとも動作周波数の２分の１の波長でなければならない。
【０００５】
図２に示すように、アンテナＡおよびアンテナＢから受信される信号はダイバーシティ受信器１４において処理される。優れた感度を有する高品質の受信器内で実行されるダイバーシティ回路は、マルチパスドロップアウトを低減または除去し、場合によっては動作範囲を拡大する。受信の改善は、設計者の選択したダイバーシティの方法によって異なる。受信器の設計において選択されたダイバーシティ受信回路のタイプは、コスト、寸法、重量、性能、与えられた用途に対する各回路の実用性を含めた多くの検討を含む。２つの異なるアンテナから得られる信号が受信器へ入った後に処理される方法は、効率の高い受信器と効率の低い受信器との間の差を生じるものである。第一に受信器が高品質な設計のものでない限り、ダイバーシティ受信を用いることはほとんど意味をなさない。
【０００６】
異なる達成度を有する多様な設計におけるダイバーシティ受信に用いられる、様々な異なる技術が存在するということも、当業者によって理解されよう。これらの技術は広義にはアクティブと非アクティブの２つのグループに分かれる。図３Ａに示すように、受動的なダイバーシティは非アクティブの技術であり、単一の受信器に、２分の１波長またはさらに離れて配置された第２のアンテナを追加したものである。アンテナＡおよびＢは、２つの信号を加える結合器１６に接続されている。しかしながら、受信される信号が互いに位相が異なる場合、ドロップアウトが生じる。
【０００７】
図３Ｂに示すように、アクティブなダイバーシティ受信技術は、アンテナ位相切替えダイバーシティと、音声切替ダイバーシティと、比率（ｒａｔｉｏ）ダイバーシティとを含む。アンテナ位相切替えダイバーシティにおいて、一方のアンテナの出力に追加された位相差反転スイッチ（図示せず）を用いて２つのアンテナＡおよびＢは混合され、単一の結合器１６に与えられる。信号の状況が悪化すると、一方のアンテナの位相は反転され、次いで論理回路１８が切替作用が雑音の割合に対して信号を改善したか否かを決定し、その位置でラッチされるか、切替えて再度サンプリングするかを決定する。この解決法に伴う問題は、トラブルが発生するまで受信器が反応しないことである。さらに、位相の切替えによってわずかな問題が悪化する可能性が常にある。最後に、切替回路はＲＦ信号経路内にあり、ＲＦレベルにおいてのみ誘発されるため、切替えが起こると「クリック」が生じる。
【０００８】
図３Ｃに示すように、音声切替ダイバーシティは、一方のアンテナの出力を選択する２つの受信器２０および２２を用いる。切替作用は通常、得られるＲＦレベルを比較しより強い信号を有する受信器に切替えることによってトリガされる。この解決策の欠点は、２つの受信器が必要であり、すなわち物理的な寸法や必要な電力がより大きくなるという点である。
【０００９】
最後に、図３Ｄに示すように、比率ダイバーシティは、共通の発信器と音声回路とを共有する２つの個別の受信器２０および２２を利用する。受信器の音声入力は同時に使用され、受信器２０および２２における相対的なＲＦレベルによって制御される比率内において、「パニング」回路２４によって混合される。相対的なＲＦレベルのサンプリングと混合は他のダイバーシティ設計においてよりも高いＲＦ信号レベルにおいて起こりはじめるため、この方法はドロップアウトが生じるかなり前にドロップアウトを予測できる。一方の受信器における信号のレベルが雑音を発生するほど低下するまでに、パニング回路２４は他方の受信器へ移動してから長時間が経過していることになる。音声切替ダイバーシティと異なり、比率ダイバーシティ受信器は両方の受信器を同時に利用する。全体の信号が低く受信器が雑音に対して使用可能な信号を生成するのに十分な信号を発見するのに苦労している場合、比率ダイバーシティ受信器は最低の雑音に対する２つの受信器の出力を、非常に低いＲＦレベルであっても均衡させ続ける。不都合なことに、音声切替ダイバーシティの構成と同じく、２つの受信器が必要であり、結果的には同様の欠点につながる。
【００１０】
さらに、当業者によって理解されるように、ダイバーシティ受信器は、受信される各バーストおよびパケットが開始される間測定された測定値に基づいて、各バーストに対して使用可能なアンテナを選択する。一般的に、可能な限りの信号が処理されることを保証するには、パケット毎という基準における迅速かつ正確な測定が望ましい。高速なダイバーシティの決定には低レイテンシフィルタが必要であるが、このようなフィルタは雑音や干渉をうまく拒否し得ない。このことは、ダイバーシティアルゴリズムの性能に影響する犠牲的な方法である。高レイテンシは、レイテンシが関連しないヘッダの後のデータ伝送の間において有益である干渉拒否へのより有利な雑音を有するフィルタ設計を可能にする。
【００１１】
アンテナ選択の基準となる測定値は、信号の質の指標または信号の強度の指標のいずれかであり得る。信号の質の指標は、決定測定を生成するために、マッチしたフィルタをよく利用する。しかしながら、タイミングの調節は、全てのアンテナに対して信頼性のある信号の指標を見込むものではない。測定の時間がより短いため、シグナル強度の指標が好ましい選択肢である。しかしながら、信号強度の指標を用いることは、これまでのダイバーシティ選択受信器の中に効率的に組み込まれていなかった。
【００１２】
以上で強調した問題および欠点に鑑みて、効果的に伝送効率の低下を防止できる、改善されたダイバーシティ受信器が必要である。
【発明の開示】
【課題を解決するための手段】
【００１３】
本発明は、無線通信システム内で、アンテナでダイバーシティ切替えを増強する、装置および方法を提供する。送信器からのパケットは、ダイバーシティ受信器と通信する個々のアンテナによって受信される。第１のアンテナにおいて受信されたパケットのプリアンブルの信号強度はサンプリングされる。信号強度が信頼できる受信に影響を与えるほど十分な大きさである場合、関連するアンテナは、パケット送信の間に、選択される。信号強度が所定の信号強度を下回る場合、第２のアンテナにおいて受信されたパケットのプリアンブルの信号強度がサンプリングされ、第１のアンテナに関連したサンプルと比較される。第２のサンプルの大きさがより大きい場合、第２のアンテナに関連した信号が選択される。信号強度を決定するために、プリアンブルの所定の期間の間、信号強度の相加平均が使用される。
【００１４】
本発明の一局面に従い、無線通信システムにおいて、パケットベース毎での、少なくとも二つのアンテナから一つのアンテナを選択する方法であって、方法は、ダイバーシティ受信器と通信する少なくとも二つのアンテナのそれぞれにて、無線通信リンクを介して送信されたデータパケットを受信することであって、データバケットは、少なくともプリアンブルを備え、プリアンブルは、それに関連した信号強度を有する、ことと、第１のアンテナに関連した、データパケットプリアンブル信号強度を決定することと、決定された信号強度が所定の閾値を超過する場合、第１のアンテナを選択することとを備える、方法が、無線通信システムにおいて提供される。
【００１５】
本発明の一局面に従い、無線通信システムにおいて、パケットベース毎での、少なくとも二つのアンテナから一つのアンテナを選択する、無線ネットワークにおけるダイバーシティ受信器であって、そのダイバーシティ受信器は、少なくとも二つのアンテナと、少なくとも二つのアンテナと通信するダイバーシティ選択回路とを備え、該ダイバーシティ選択回路が、無線通信リンクを介して受信されたパケットのプリアンブルに関連した測定基準に基づいて、該少なくとも二つのアンテナの一つの間で選択する、ダイバーシティ受信器が提供される。
【００１６】
本発明の利点は、容易に理解できる。本発明は、より厳しい時間的予算内で、アンテナダイバーシティ選択の、パケット毎の利益を許す。より厳しい時間的予算は、いったん、好ましいアンテナが選択されると、レイテンシに抗うために、パケットの一部を格納することなしに、いっそう多くのプリアンブルを、他の処理のために使用させることを許可する。最終的に、パケットのより効果的な送信が達成される。
【発明を実施するための最良の形態】
【００１７】
本発明のよりよい理解は、以下に続く図面に関連し、以下の詳細な記載を検討することによって得られる。
【００１８】
本質的に、本発明は、無線通信システムにおいて単一の受信器を用いて２つの受信アンテナ間での選択を行うための技術について記載する。以下に説明するように、本発明は、パケットのプリアンブルを受信している間の信号強度をサンプリングすることと、決定された信号強度に基づいてアンテナ選択を行うこととを提供する。
【００１９】
図４を参照すると、ダイバーシティ受信器２６が示されており、ダイバーシティ受信器２６内に本発明が存在する。好ましい受信器は、たとえば、ＩｃｅＦｙｒｅ  Ｓｅｍｉｃｏｎｄｕｃｔｏｒ  Ｉｎｃ．によるＩＣＥ５３５０  Ｄｉｇｉｔａｌ  Ｒｅｃｅｉｖｅｒ
であるが、本発明がこの受信器に限定されるということではない。ダイバーシティ受信器は、ＲＦ受信器のフロントエンド２８と物理／メディアアクセス制御層（Ｐｈｙｓｉｃａｌ  Ｍｅｄｉｕｍ  Ａｃｃｅｓｓ  Ｃｏｎｔｒｏｌ）（ＰＨＹ／ＭＡＣ）３０との間に配置されている。ＲＦ受信器のフロントエンドはアンテナＡおよびアンテナＢに接続する。図面に示すように、ダイバーシティ受信器２６内の２つの主要なブロックは、デジタル復調器３２およびベースバンドデコーダ３４である。デジタル復調器３２はキャリアオフセットを排除し、オフセットのタイミングを調節し、チャネルの悪化を補償し、デジタル変調された信号をデマッピングすることによってベースバンド信号を回復する。このブロックは、アナログ−ディジタルインタフェース（図示せず）とベースバンドインタフェース（図示せず）との間に位置する。ベースバンドデコーダ３４は、ベースバンド信号をデインターリーブし、軟判定Ｖｉｔｅｒｂｉアルゴリズムを介してエラーを訂正し、訂正されたビットストリームをＰＨＹ／ＭＡＣ３２を通過させるために解読する。このブロックはベースバンドインタフェース（図示せず）とＰＨＹ／ＭＡＣインタフェース（図示せず）との間に位置する。
【００２０】
図５は、図４のデジタル復調器３２を示す。図に示すように、アナログ−ディジタルインタフェースはブロックＡＤＣｓ／ＤＡＣｓ３６に位置する。ベースバンドインタフェースは、図の軟判定デマッパ３８にも見られ得る。また、図において、デジタル復調器３２が高速フーリエ変換（ＦＦＴ）回路４０によって明瞭に２つの部分に分けられていることもわかる。左側には、デジタル復調器のフロントエンド（ＤＦＥ）４２があり、一方、右側にはデジタル復調器のバックエンド（ＤＢＥ）４４がある。本発明の発明は、デジタル復調器のフロントエンド４２において提供される。
【００２１】
図６は、図５のデジタル復調器フロントエンド４２を示す。太字のブロック、および「ワイヤ」は、ダイバーシティ選択処理中に使用され、以下に規定する：
（ａ）デジタル直流Ｃｏｍｐｅｎｓａｔｉｏｎ（ＤＤＣＯ）ブロック４６．図８に関連して以下に記載されるように、ゲインおよびＤＤＣＯは、全ダイバーシティ選択処理を通して定位を保つ。
（ｂ）Ｆｉｎｉｔｅインパルス応答（ＦＩＲ−１）ブロック４８、および、Ｉｎｆｉｎｉｔｅインパルス応答（ＩＩＲ−１）ブロック５０は、線形ダイバーシティを保つための試みを有さず、信号のバンド限定をするのに用いる高速デジタルフィルターである。
（ｃ）Ｍａｇ（ｎｉｔｕｄｅ）平方-１ブロック５２は、各々の複素数サンプルの絶対値の２乗を計算する。
（ｄ）Ｐｗｒブロック平均５４は、サンプルの与えられる数の相加平均を計算する。
（ｅ）Ｒｅｃｅｉｖｅ  Ｓｉｇｎａｌ  Ｓｔｒｅｎｇｔｈ  Ｅｓｔｉｍａｔｅ（ＲＳＳＩ）Ｄｅｔｅｃｔブロック５６は、平均をｄＢ数に変換する。および、
（ｆ）ダイバーシティ選択ブロック５８は、アンテナＡからの数値をアンテナＢからの数値と比較する。
相加平均のｄｂへの変換は必要ではなく、待ち時間を減らすために、削除されることができることは、当業者にとって理解される。
【００２２】
図７は、ダイバーシティ受信器２６と伝達し合う伝達装置のパケット発生電気回路において発生される典型的なパケットを示す。図に示されるように、各々のパケット６０は、プリアンブル部分６２、データ部分６４、および（任意の）ポストアンブル部分６６を備えるプリアンブル部分６２は、他の目的と共に、クロック回復、自動ゲイン制御、信号対ノイズ比の概算、および、本発明の焦点であるダイバーシティ選択のような機能を受信器が行うことを可能にする同期のために使用される。プリアンブルは、フレームデリミタの始まり、および、データ部分６４の受信のために使用するデータレートを指すデータレートフィールドも含む。ポストアンブル部分６６は、通常、フレームデリミタの終わり、および、任意にて、例えば、巡回冗長検査（ＣＲＣ）コードのようなエラー検出コードを含み得る。パケットが、非常に大きなパケットの真ん中に時折配置される付加的な「ミッドアンブル」（ｍｉｄａｍｂｌｅ）部分を含み得ることもまた、当業者にとって理解される。ミッドアンブル部分は、基本的に、タイミング、およびトラッキング／再入手の周波数を促進するプリアンブルのような情報を含む。「ミッドアンブル」が、パケットの中間にて付加的なダイバーシティ選択のために使用されることは可能であり、それは、本発明の範囲内に含まれることを意図する。
【００２３】
本発明に不可欠なダイバーシティ選択回路は、図８に関連して記載される。ダイバーシティ選択回路は、アンテナＡをデフォルトに設定する（図４を参照）。送信されたパケットは、ダイバーシティ受信器２６のアンテナＡおよびアンテナＢによって受信される。ステップ１００において、デジタル復調器のフロントエンド４２におけるパケット検出回路（図には示されていない）は、搬送波上の信号の形式におけるパケットが現在のアンテナ（例えば、デフォルトアンテナＡ）によって検出されていることを決定する。パケットが検出されない場合、その回路は、アイドル状態に戻り、未来の信号の受信を待つ。パケットが検出された場合、ステップ１０２にて、ゲインおよびＤＤＣＯの設定は、その回路が、アンテナＡ（必要であれば、次に、アンテナＢ）の、パワー／ＲＳＳＩ計測のための、共通の状態設定を有することを保証するために、固定される。アンテナＡ信号のパワー／ＲＳＳＩが、次いで、第１のサンプル時間の間に計測される。ステップ１０６にて、パワー／ＲＳＳＩ計測値は、次いで、検出されたパケットの信号強度が、処理するのに十分な強度であるかどうかを決定するために、ユーザが選択した閾値である、Ｔｈｒ＿Ｇｒｅａｔと比較される。ステップ１０８にて、アンテナＡに関連したパワー／ＲＳＳＩが、Ｔｈｒ＿Ｇｒｅａｔよりも大きい場合、十分な信号強度のパケットが検出されているダイバーシティ回路信号およびアンテナＡは、パケット受信の間に、選択される。ステップ１１０にて、代わりに、パワー／ＲＳＳＩが、Ｔｈｒｕ＿Ｇｒｅａｔよりも小さい場合、アンテナＢは選択され、ステップ１１２にて、パワー／ＲＳＳＩ計測が取られる。ステップ１１４にて、アンテナＢの計測は、アンテナＡからの計測と比較される。アンテナＢの計測が、アンテナＡの計測よりも大きい場合、回路はアンテナＢ（ステップ１１６）を選択する。アンテナＢの計測がアンテナＡの計測よりも大きくない場合、次いで、回路はアンテナＡをデフォルトにする。アンテナＢが選択された場合で、パケットが受信された後に、回路は、デフォルトアンテナＡに切替える。
【００２４】
パワー／ＲＳＳＩ計測に関連して、それぞれのアンテナのプリアンブルの所定の期間を介して、受信された信号強度の相加平均は、図６において示される、ＰｗｒＢｌｏｋＡｖｇ５４にて計算される。その期間は、理想的な信号のために、平均電力が時間に依存しないように選択され、例えば、その平均がサンプルｎから始まる場合、ｎおよびｍが等しくない場合でも、その平均がサンプルｍ上で始まる場合でも同一にする。同時に、その期間は、十分なノイズ抑制があるように選択される。例えば、ノイズ信号の平均の変化は、低減される。図６において強調されているように、信号は、迅速な（例えば、低レイテンシ）Ｆｉｎｉｔｅ  Ｉｍｐｕｌｓｅ  Ｒｅｓｐｏｎｓｅ（ＦＩＲ）およびＩｎｆｉｎｉｔｅ  Ｉｍｐｕｌｓｅ  Ｒｅｓｐｏｎｓｅ（ＩＩＲ）の後に、試験され、このように、高レイテンシＲｘ  Ｄｉｇｉｔａｌ  Ｆｉｎｉｔｅ  Ｉｍｐｕｌｓｅ  Ｒｅｓｐｏｎｓｅ（ＦＩＲ）を避け、それによって、迅速な処理レイテンシを許す。これは、プリアンブルの間、それぞれのアンテナを精査する間に、実際の計測時間を最大化する。プリアンブルの情報およびその周期性における対称性のために、平均化の処理を時間に依存させないために要求される平均化間隔は、通常、相互相関（例えば、一致したフィルタリング）を使用し、信号品質指数を要求される間隔よりも短くされる。
【００２５】
本発明は、ハードウェアおよびソフトウェアの両方の組み合わせとして実施され得る。特に、本発明は、ダイバーシティ選択の、数値強化型の要求に理想的に適したデジタル信号プロセッサ（ＤＳＰ）などの、マイクロプロセッサにおいて格納された、一連のコンピュータ可読命令として実施され得る。コンピュータ可読命令は、手続き的なプログラミング言語（例えば、「Ｃ」）、または、オブジェクト指向言語（例えば、「Ｃ＋＋」）においてプログラムされ得る。コンピュータの一連の命令は、以前に記載された機能の全てまたは一部を具体化する。
【００２６】
本発明の実施形態はまた、コンピュータシステムと用いて使用されるコンピュータプログラム製品として実施され得る。そのような実施は、コンピュータ可読媒体（例えば、フロッピー（登録商標）ディスク、ＣＤ−ＲＯＭ、ＲＯＭ、または、固定ディスク）などのような、有形の媒体に固定された、あるいは、媒体を介してネットワークへ接続される通信アダプタなどのような、モデムまたは他のインターフェース装置を介して、コンピュータシステムへ送信可能である、一連のコンピュータ命令を含み得る。その媒体は、有形の媒体（例えば、光学的または電気的通信線）または、無線技術（例えば、マイクロ波、赤外線、または他の送信技術）を有して実施される媒体であり得る。そのようなコンピュータプログラム製品は、添付の印刷された、または電子的な書類（例えば、収縮包装のソフトウェア）を有する取り外し可能な媒体として配布され得、コンピュータシステム（例えば、システムＲＯＭまたは固定ディスク）によって前処理され得、または、ネットワーク（例えば、インターネットやＷｏｒｌｄ  Ｗｉｄｅ  Ｗｅｂ）を介するサーバから配布され得る。もちろん、本発明の一部の実施形態は、ソフトウェア（例えば、コンピュータプログラム製品）およびハードウェア両方の組み合わせとして実施され得る。本発明の他の実施形態は、完全にハードウェアとして、または、完全にソフトウェア（コンピュータプログラム製品）として、実施され得る。
【００２７】
本発明における様々な例示的な実施形態が開示されているが、様々な変形および修正され得ることは、当業者にとって明らかであろう。それらは、本発明の真なる範囲から離れることなく、本発明の利点の一部を達成する。
【００２８】
本発明を理解する者は、請求項において限定されるように、本発明の範囲内で意図される上記全ての代替的な構造および実施形態、または変形を、考え出し得る。
【図面の簡単な説明】
【００２９】
【図１】図１は、マルチパスヌルが生成される通常の無線システムを表す。
【図２】図２は、ダイバーシティ受信を組み込む、通常の無線システムを表す。
【図３Ａ】図３Ａは、受動的ダイバーシティ受信器のブロック図を表す。
【図３Ｂ】図３Ｂは、アンテナ位相切替えダイバーシティ受信器のブロック図を表す。
【図３Ｃ】図３Ｃは、音声切替えダイバーシティ受信器のブロック図を表す。
【図３Ｄ】図３Ｄは、比率ダイバーシティ受信器のブロック図を表す。
【図４】図４は、本発明に従ったダイバーシティ受信器のブロック図を表す。
【図５】図５は、図４のダイバーシティ受信器に不可欠なデジタル復調器のブロック図を表す。
【図６】図６は、図５のデジタル復調器に不可欠なデジタル復調器のフロントエンドのブロック図を表す。
【図７】図７は、本発明の無線送信システムにおいて使用される通常のパケットを表す。
【図８】図８は、本発明に従った、ダイバーシティ選択動作のフローチャートを表す。
【図１】
2007505515.tif 000003
【図２】
2007505515.tif 000004
2007505515.tif 000005
2007505515.tif 000006
【図４】
2007505515.tif 000007
【図５】
2007505515.tif 000008
【図６】
2007505515.tif 000009
【図７】
2007505515.tif 000010
【図８】
2007505515.tif 000011
【国際調査報告】
2007505515.tif 000012
2007505515.tif 000013
2007505515.tif 000014